(57)【要約】【課題】照度を上げると共に照度が均一な範囲を広げる。【解決手段】本発明は、複数のレンズ３とＬＥＤ２とからなる光学ユニットを備え、レンズ３は第１面が平面又は平面に近い樹脂性凸レンズであり、ＬＥＤ２は発光面が平面であり、配光分布がランベルト分布であり、レンズ３の光軸付近に配置され、ＬＥＤ２の対辺寸法をｄＬＥＤ、レンズ３の焦点距離をｆ、光学系の近軸倍率をｍ、レンズ３とＬＥＤ２の間隔をｄ０、レンズ３の第１面の曲率半径をＲ１、前記レンズ径をＤとした時に、  ｄＬＥＤ×３≦ｆ≦ｄＬＥＤ×１０  １．５≦ｍ≦５  ｄ０≦Ｄ／４  ｜Ｒ１｜≧ｄＬＥＤ×３  Ｄ≧ｄＬＥＤ×２．５を満たすことを特徴とする。【選択図】図５
2019036495.tif 000002
【特許請求の範囲】
【請求項１】
複数のレンズとＬＥＤとからなる光学ユニットを備え、
前記レンズは第１面が平面又は平面に近い樹脂性凸レンズであり、
前記ＬＥＤは発光面が平面であり、配光分布がランベルト分布であり、前記レンズの光軸付近に配置され、
前記ＬＥＤの対辺寸法をｄＬＥＤ、前記レンズの焦点距離をｆ、光学系の近軸倍率をｍ、前記レンズと前記ＬＥＤの間隔をｄ０、前記レンズの第１面の曲率半径をＲ１、前記レンズ径をＤとした時に、
ｄＬＥＤ×３≦ｆ≦ｄＬＥＤ×１０
１．５≦ｍ≦５
ｄ０≦Ｄ／４
｜Ｒ１｜≧ｄＬＥＤ×３
Ｄ≧ｄＬＥＤ×２．５
を満たすことを特徴とするＬＥＤ照明装置。
【請求項２】
前記ＬＥＤを出射し、前記レンズの中心近傍を通る光が照射面の中心近傍を照明し、前記レンズの周辺を通る光が照射面の周辺を照射するＬＥＤ照明装置において、
前記レンズの周辺を通る光を制御する為に、前記レンズの第２面のコニックを−１から１の範囲で調整し、均一な照度範囲を広くした請求項１に記載のＬＥＤ照明装置。
【請求項３】
前記ＬＥＤを出射し、前記レンズの中心近傍を通る光が照射面の中心近傍を照明し、前記レンズの周辺を通る光が照射面の周辺を照射するＬＥＤ照明装置において、
前記レンズの周辺を通る光を制御する為に、前記レンズの第２面の非球面係数を、コニックを−１から１の範囲の非球面に近似する様に調整し、均一な照度範囲を広くした請求項１に記載のＬＥＤ照明装置。
【請求項４】
複数の前記光学ユニットを円周上に配置したＬＥＤ照明装置において、
前記ＬＥＤ照明装置の中心から前記レンズまでの距離をｒＬｅｎｓ、前記ＬＥＤ照明装置の中心から前記ＬＥＤまでの距離をｒＬＥＤとした時に、
ｒＬｅｎｓ＜ｒＬＥＤ
を満たす請求項１〜３のいずれかの請求項に記載のＬＥＤ照明装置。
【請求項５】
複数の前記光学ユニットを前記レンズ径の１．５倍以下の間隔で直線状に配置した請求項１〜３のいずれかの請求項に記載のＬＥＤ照明装置。
【発明の詳細な説明】
【技術分野】
【０００１】
本発明は、画像処理装置等に用いられるＬＥＤ照明装置に関する。
【背景技術】
【０００２】
従来、画像処理装置等に用いられるＬＥＤ照明装置は、ＬＥＤチップを透明プラスチックでモールドした、いわゆる砲弾型ＬＥＤをプリント回路基板に半田付けしたものが用いられてきた。近年、高出力チップ型ＬＥＤが開発され、チップ型ＬＥＤをプリント回路基板に半田付けしたものも利用されて始めている。更に、チップに対応したレンズを取り付けたものも利用されている（特許文献１、２、３参照）。
【先行技術文献】
【特許文献】
【０００３】
【特許文献１】特開平１０−２１７２９号公報
【特許文献２】特許第４５５３９８２号公報
【特許文献３】特開２０１０−２７６１５号公報
【特許文献４】特開２０１２−８９３６７号公報
【特許文献５】特表２００９−５１２９８７号公報
【特許文献６】特開２０１４−１０４２８号公報
【発明の概要】
【発明が解決しようとする課題】
【０００４】
近年、画像処理の要求速度が高速になるに伴い、照度の高い照明装置が求められている。従来の砲弾型ＬＥＤ１個の光出力は１０ｌｍ程度しかなく、数を増やしても高い照度に限界がある（特許文献１参照）。
【０００５】
近年使われるようになっているチップ型ＬＥＤ１個の光出力は２００ｌｍ以上あり、高い照度が期待できる。しかし、砲弾型ＬＥＤの指向性が半値全角６０度程度なのに対して、チップＬＥＤの指向性は１２０度と広い。そのため、照明から近い距離では高い照度を出すことが出来るが、距離が離れると照度が落ちてしまう（特許文献２参照）。
【０００６】
また、指向性を上げるためにレンズを用いる方法も提案されている。しかし、レンズが最適化されているとはいえない（特許文献３、４参照）。
【０００７】
また、均一な照度で照明する方法も提案されているが、レンズ（ビーム拡散光学素子）がＬＥＤ寸法に対して大きく、効率も悪い（特許文献５参照）。
【０００８】
さらに、ライン照明でも効率が十分とはいえない（特許文献６参照）。
【０００９】
本発明が解決しようとする課題は、以下の通りである。
（１）レンズを最適化することにより、ＬＥＤの出力を出来るだけ多く照射する場所に導くことにより照度を上げる。
（２）レンズ設計により照度が均一な範囲を広げる。
（３）レンズとＬＥＤを１対１で配置する事により、少量多品種生産において、レンズ金型数を減らし、総コストを削減する。
（４）リング照明において、プリント配線基板を切頭円錐形に変形する事無く高く均一な照度を得る。
（５）ライン照明においても照度を上げる。
【課題を解決するための手段】
【００１０】
本発明のＬＥＤ証明装置は、複数のレンズとＬＥＤとからなる光学ユニットを備え、前記レンズは第１面が平面又は平面に近い樹脂性凸レンズであり、前記ＬＥＤは発光面が平面であり、配光分布がランベルト分布であり、前記レンズの光軸付近に配置され、前記ＬＥＤの対辺寸法をｄＬＥＤ、前記レンズの焦点距離をｆ、光学系の近軸倍率をｍ、前記レンズと前記ＬＥＤの間隔をｄ０、前記レンズの第１面の曲率半径をＲ１、前記レンズ径をＤとした時に、
ｄＬＥＤ×３≦ｆ≦ｄＬＥＤ×１０
１．５≦ｍ≦５
ｄ０≦Ｄ／４
｜Ｒ１｜≧ｄＬＥＤ×３
Ｄ≧ｄＬＥＤ×２．５
を満たすことを特徴とする。
【００１１】
本発明は、前記ＬＥＤを出射し、前記レンズの中心近傍を通る光が照射面の中心近傍を照明し、前記レンズの周辺を通る光が照射面の周辺を照射するＬＥＤ照明装置において、前記レンズの周辺を通る光を制御する為に、前記レンズの第２面のコニックを−１から１の範囲で調整し、均一な照度範囲を広くするのが好ましい。
【００１２】
本発明は、前記ＬＥＤを出射し、前記レンズの中心近傍を通る光が照射面の中心近傍を照明し、前記レンズの周辺を通る光が照射面の周辺を照射するＬＥＤ照明装置において、前記レンズの周辺を通る光を制御する為に、前記レンズの第２面の非球面係数を、コニックを−１から１の範囲の非球面に近似する様に調整し、均一な照度範囲を広くするのが好ましい。
【００１３】
本発明は、複数の前記光学ユニットを円周上に配置したＬＥＤ照明装置において、前記ＬＥＤ照明装置の中心から前記レンズまでの距離をｒＬｅｎｓ、前記ＬＥＤ照明装置の中心から前記ＬＥＤまでの距離をｒＬＥＤとした時に、
ｒＬｅｎｓ＜ｒＬＥＤ
を満たすのが好ましい。
【００１４】
本発明のＬＥＤ証明装置において、複数の前記光学ユニットを前記レンズ径の１．５倍以下の間隔で直線状に配置するのが好ましい。
【発明の効果】
【００１５】
本発明によれば、照度を上げると共に、照度が均一な範囲を広げることができる等、種々の優れた効果を得ることができる。
【図面の簡単な説明】
【００１６】
【図１】本発明の第１の実施形態に係るＬＥＤ照明装置を示しており、（ａ）は断面図、（ｂ）は平面図である。
【図２】本発明の第１の実施形態に係るＬＥＤ照明装置の拡大断面図である。
【図３】本発明の第１の実施形態に係る凸レンズの斜視図である。
【図４】本発明の第１の実施形態に係る光学ユニットの光線追跡図である。
【図５】本発明の第１の実施形態に係る光学ユニットの第２面のコニックを変化させた時の照度分布図である。
【図６】本発明の第１の実施形態に係る光学ユニットの第２面コニック＝−０．２の時の光線追跡図である。
【図７】本発明の第１の実施形態に係る光学ユニットの第２面コニック＝０の時の光線追跡図である。
【図８】本発明の第１の実施形態に係る光学ユニットの第２面コニック＝０．２の時の光線追跡図である。
【図９】非球面サグの説明図である。
【図１０】本発明の実施形態に係る光学ユニットの照度分布図である。
【図１１】本発明の実施形態に係る光学ユニットの照度分布図である。
【図１２】本発明の実施形態に係る光学ユニットの照度分布図である。
【図１３】本発明の実施形態に係る光学ユニットの照度分布図である。
【図１４】本発明の第１の実施形態に係る光学ユニットの配光分布図である（光軸ずれ量＝０の場合）。
【図１５】本発明の第１の実施形態に係る光学ユニットの配光分布図である（光軸ずれ量＝０．６の場合）。
【図１６】本発明の第１の実施形態に係る光学ユニットの配光分布図である（光軸ずれ量＝１．２の場合）。
【図１７】本発明の第１の実施形態に係る照明装置の照度分布図である。
【図１８】従来の照明装置の照度分布図である。
【図１９】本発明の実施形態に係るＬＥＤ照明装置の説明図である。
【図２０】本発明の実施形態に係るＬＥＤ照明装置の照度分布図である。
【発明を実施するための形態】
【００１７】
図１、２は本発明の第１の実施形態に係るＬＥＤ照明装置１を示している。ＬＥＤ照明装置１は、１０個のＬＥＤ２とレンズ３とからなる光学ユニットと、それらを位置決め固定する基板４と、その他筐体等と、を備えている。
【００１８】
ＬＥＤ２の発光部は平面で、発光部の厚さは該発光部の対辺寸法より十分小さく、配光パターンはランベルト分布である。図２に示すように、ＬＥＤ照明装置１の中心からレンズ３までの距離をｒＬｅｎｓ、ＬＥＤ照明装置１の中心からＬＥＤ２までの距離をｒＬＥＤとした時に、ｒＬｅｎｓ＜ｒＬＥＤを満たすように構成するのが好ましい。これにより、ＬＥＤ照明装置１の光線の向きが照明の中心方向に向かい、ＬＥＤ照明装置１の中心照度が高く、均一な範囲が広くなるという効果を得ることができる。
【００１９】
図３はレンズの斜視図であり、レンズ３は、透明樹脂製で、レンズ部と、位置決めピン３ａと、ＬＥＤ２との距離を決めるスペーサー３ｂと、が一体成型されて構成されている。基板４にはＬＥＤ用のパターンとレンズ３用の位置決め穴があり、ＬＥＤ２はレンズ３の光軸又は光軸近傍に固定される。
【００２０】
図４は前記光学ユニットの光線追跡図であり、この光学ユニットは以下の仕様を有している。
焦点距離：ｆ＝６ｍｍ
近軸倍率：ｍ＝２
ＬＥＤ２の高さ：ｈ＝０．５ｍｍ
ＬＥＤ２とレンズ３の第１面の距離：ｄ０＝０．２ｍｍ
レンズ３の第１面の曲率半径：Ｒ１＝ＩＮＦ（INFINITY（無限）の略）
レンズ３の厚さ：ｔ＝４．１９４ｍｍ
レンズ３の第２面の曲率半径：Ｒ２＝−２．９８７ｍｍ
レンズ３の第２面のコニック：ｋ２＝０
レンズ３の径：Ｄ＝５．８６ｍｍ
材質：透明アクリル
【００２１】
図５は第２面のコニックｋ２を−０．２、０、０．２に変化させた時の前記光学ユニットから１００ｍｍ先の照度分布である。発光部が十分薄く、配光分布がランベルト分布であり、対辺寸法１ｍｍ、全光束１ｌｍのＬＥＤを使用している。以下、特に断りのない限り、同じＬＥＤを使用して説明する。
【００２２】
図５によれば、コニックにより照度分布が大きく変わり、設計値０を選択することで広い範囲で均一な照度が得られることがわかる。
【００２３】
図６、７、８はコニックｋ２をそれぞれ−０．２、０、０．２の時のＬＥＤ２の中心から出射したランベルト分布の光線の追跡図である。光線の数は光量に比例し、光線の密度は照度に比例する。いずれも中心付近より周辺の密度が高い。コニックを変えるとレンズ３の周辺の形状が変わり、それによって周辺の光線の密度が変化する。これによって照度分布を制御できる。
【００２４】
この時の集光効率（＝照明された光量／ＬＥＤ出力光量）はそれぞれ９１％と高い値である。上記した特許文献５の図４の例では、配光角±４５度の光しか使用出来ておらず、集光効率は５０％以下であるのに対し、２倍近い高い効率が得られている。
【００２５】
表１はレンズ３の第１の実施例（レンズ＃１０）と他の実施例である。第２面のコニックを−０．３から０．６の範囲で調整することにより、焦点距離が３〜１０ｍｍで近軸倍率が１．５〜５倍の広い範囲で均一な照度が得られることが多い。レンズ３の周辺を通る光を制御する為には、レンズ３の第２面のコニックを−１から１の範囲で調整するのが好ましい。これにより、広い範囲で均一な照度を得ることができる。但し、レンズ＃１２の様に適当なコニックが存在しない場合もある。
【００２６】
【表１】
2019036495.tif 000003
【００２７】
レンズ３の第１面は作り易い平面の方が好ましいが、レンズ＃１７の様に球面であってもよい。材質はアクリル、ポリカーボネート等の透過率の高いものが好ましい。
表１は全て単レンズであるが、組レンズであっても良い。
【００２８】
レンズ＃１０とレンズ＃１９の違いはＬＥＤ２とレンズ３の第一面の距離ｄ０である。それぞれの集光効率は９１％、７７％である。ｄ０はレンズ径Ｄの１／４以下であることが望ましい。また、レンズ径Ｄは、Ｄ≧ｄＬＥＤ×２．５（但し。ｄＬＥＤはＬＥＤの対辺寸法）を満たすように設定されるのが好ましい。
【００２９】
ところで、レンズ面の非球面形状は次の式で表される。
【００３０】
【数１】
2019036495.tif 000004
【００３１】
ここで、
ｚ：光軸方向のサグ
ｃ＝１／Ｒ
Ｒ：曲率半径
ｒ：光軸からの距離
ｋ：コニック
α１：２次非球面係数
α２：４次非球面係数
α３：６次非球面係数
であり、工業的にはα８、１６次非球面係数位まで使用される。
【００３２】
図９はいずれもＲ＝−４．９８７であり、面形状が、コニックｋ＝０の球面の場合の第１のケースと、コニックｋ＝−０．２の非球面の場合の第２のケースと、４次非球面係数α２＝０．０００６の非球面の場合の第３のケースの３つのケースを比較したものである。図９から、第２のケースと第３のケースが近似の形状であることが分かる。
【００３３】
図１０は前記第２のケースのレンズ＃１５を使用した光学ユニットの１００ｍｍ先の照度分布である。また、図１１はレンズ＃１５の非球面形状を前記第３のケースに置き換えた場合の同様の照度分布である。これにより、置き換えても、均一な照度領域を広く取れる事がわかる。
【００３４】
同様にレンズ＃１３のｋ＝０．６非球面はα３＝−０．０００１５の非球面で近似することが出来る。図１２、１３はｋ＝０．６のレンズ＃１３とレンズ＃１３の非球面をα３＝−０．０００１５の非球面で置き換えた場合の照度分布である。これにより、分布形状も酷似し、置き換え可能であることがわかる。
【００３５】
レンズ３の周辺を通る光を制御する為には、レンズ３の第２面の非球面係数を、コニックを−１から１の範囲の非球面に近似する様に調整するのが好ましい。これにより、広い範囲で均一な照度を得ることができる。
【００３６】
図１４、１５、１６はＬＥＤ２とレンズ３の光軸をそれぞれ０ｍｍ、０．６ｍｍ、１．２ｍｍずらした時の第１の実施例の光学ユニットの配光分布である。この時の集光効率はそれぞれ９１％、９０％、８０％と高い値である。光軸をずらすことにより、少ない損失で配光角度を変えることが出来る。第１面の曲率半径の絶対値がＲ１が小さいと光軸をずらした時にＬＥＤ２と干渉したり、ＬＥＤ２−レンズ３間の距離が離れて効率が下がる為、Ｒ１の絶対値は大きい方がよい。好ましくは、｜Ｒ１｜≧ｄＬＥＤ×３（但し。ｄＬＥＤはＬＥＤの対辺寸法）を満たすように設定されるのが好ましい。
【００３７】
図１の様なリング状のＬＥＤ照明装置１では各レンズ３から出る光が内向きであることが有用であり、これは各ＬＥＤ２をレンズ３より外側に配置することにより可能となる。図１の場合、レンズ＃１０を使用し、レンズ３の位置は照明中心から１３ｍｍで、ＬＥＤ２の位置は同じく１３．５ｍｍで、０．５ｍｍずらしてある。図１７は図１のＬＥＤ照明装置１の照度分布であり、図１８は従来の照明装置のＷＤ（作動距離）を変えた時の照度分布である。これにより、本発明のＬＥＤ照明装置１では、均一な照度範囲が広く、明るい事がわかる。なお、今回以降、従来との比較の為、本発明のＬＥＤ２の全光束を２５０ｌｍ（輝度８０Ｍｃｄ／ｍ２）としている。
【００３８】
本実施例（照明＃１）と他の実施例を表２に示す。表２中において、従来とは砲弾型ＬＥＤを７２個切頭円錐形基板に配置したものである。また、均一照度径とは照度が中心照度の±１０％以内の直径である。
【００３９】
【表２】
2019036495.tif 000005
【００４０】
照明＃２は＃１と同じレンズを使用し、照明内径を１６ｍｍから４０ｍｍに大きくし、ＬＥＤ２の数を１０個から２２個に増やした実施例である。径が大きくなった分、光軸ずれ量も０．５（＝１３．５−１３）から１（＝２６−２５）に増えている。予想通り、均一照度径はあまり変わらず、ＬＥＤ２の数が２．２倍に増えた分、照度は２倍以上になっている。
【００４１】
上記した特許文献３の様な多くのレンズを一体成型する方式をリング照明に用いると、レンズの型が照明の種類の数だけ必要となるが、本発明は、一つの型で作った１種類のレンズで多くの種類の照明に対応できるため、少量多品種の画像処理用照明に適した設計である。
【００４２】
照明＃３は焦点距離３ｍｍのレンズ＃３を使用し、同じ内径でも外径を小さくし、ＬＥＤ２の数を増やした実施例である。均一照度径は狭くなるが照度は高くなる。
照明＃４は焦点距離１０ｍｍのレンズ＃１６を使用した実施例である。ＬＥＤ２の数が少なく、低消費電力の割に高い照度が得られる。
【００４３】
照明＃５は照明＃１の寸法をすべて２倍とした実施例である。ＬＥＤ２の寸法も２倍で輝度が同じで、つまり全光束は４倍である。この場合、２倍のＷＤに２倍の均一照度径で同じ中心照度で照明される。つまり、照明＃１、＃５ともＬＥＤ２の寸法を１とした時に同じ設計であるといえ、表１は長さはｍｍ単位で表示したが、単位を無くしてＬＥＤ寸法を１とした時の比率であるといえる。
【００４４】
図１９は本発明によるレンズ＃１１をライン照明に応用した実施例である。 ＬＥＤをＸ方向直線状に配置し、それぞれのＬＥＤに１個のレンズ３を配置し、レンズ３で開口数が変換された光をＹ方向にのみ正の屈折力を有するフレネルレンズ１０でＹ方向のみ集光し、スクリーン１１上にＸ方向に長い直線状の照明をする装置である。
【００４５】
また、ＬＥＤのＸ方向の間隔は６．６ｍｍ、フレネルレンズの焦点距離は２０ｍｍ、レンズ径は６．５４ｍｍ、全体のＹ方向近軸倍率は５である。この場合、複数の前記光学ユニットをレンズ径の１．５倍以下の間隔で直線状に配置するのが好ましい。このように狭い間隔で光学ユニットを配置することにより、高い照度を得ることができる。
【００４６】
図２０はスクリーン中央でのＹ方向の照度分布で、中心照度は２４００ｋｌｘである。これは、前記特許文献６の図２（ａ）、図４（ａ）（この時のＮＡ変換レンズの焦点距離は１６．５ｍｍ、ｄ０は３ｍｍ）の中心照度の２倍以上である。条件を同じにする為、ＬＥＤ２の対辺寸法を１ｍｍ、全光束を１００ｌｍとし、ランベルト分布として計算している。これにより、本発明によるレンズ３の有効性がわかる。
【符号の説明】
【００４７】
１      ＬＥＤ照明装置
２      ＬＥＤ
３      レンズ
４      プリント基板
【図１】
2019036495.tif 000006
【図２】
2019036495.tif 000007
【図３】
2019036495.tif 000008
【図４】
2019036495.tif 000009
【図５】
2019036495.tif 000010
【図６】
2019036495.tif 000011
【図７】
2019036495.tif 000012
【図８】
2019036495.tif 000013
【図９】
2019036495.tif 000014
【図１０】
2019036495.tif 000015
【図１１】
2019036495.tif 000016
【図１２】
2019036495.tif 000017
【図１３】
2019036495.tif 000018
【図１４】
2019036495.tif 000019
【図１５】
2019036495.tif 000020
【図１６】
2019036495.tif 000021
【図１７】
2019036495.tif 000022
【図１８】
2019036495.tif 000023
【図１９】
2019036495.tif 000024
【図２０】
2019036495.tif 000025